(57)【特許請求の範囲】
【請求項１】
縦方向および横方向を有し、肌対向面およびその反対側である非肌対向面と、前後ウエスト域と、これら前後ウエスト域のいずれか一方である第１ウエスト域と、いずれか他方である第２ウエスト域と、前記第１および第２ウエスト域間に位置するクロッチ域とを含むシャーシと、前記第１および第２ウエスト域を互いに連結するファスニング手段とを有し、
前記ファスニング手段は、前記第１ウエスト域の前記非肌対向面に位置する第１連結要素と、前記第１連結要素に連結可能な第２連結要素とを有し、前記第２連結要素は、前記第２ウエスト域から前記横方向に延びるサイドパネルに取り付けられた使い捨て着用物品において、
前記サイドパネルは、前記横方向に伸長可能な伸長部材と、前記伸長部材に重なるとともに、前記伸長部材の伸長を規制可能な規制部材とを有し、
前記伸長部材の非伸長時において、前記規制部材が前記横方向に離間する一対の接合部を介して前記伸長部材に接合され、前記規制部材の前記接合部の間には、前記縦方向に延びる切断誘導線が形成され、前記切断誘導線は、前記規制部材の前端縁および後端縁から前記縦方向内側にそれぞれ延び、
前記伸長部材は、一対の前記接合部の間において、その一部を前記横方向へ弛ませた折り畳まれた状態で前記規制部材と接合されていることを特徴とする前記使い捨て着用物品。
【請求項２】
前記伸長部材は、前記横方向に弾性的に伸縮可能とされ、前記規制部材の伸長率は、前記伸長部材のそれよりも小さくされる請求項１記載の使い捨て着用物品。
【請求項３】
前記切断誘導線は、前記規制部材の前記前後端縁の間において一直線状に形成される請求項１または２記載の使い捨て着用物品。
【請求項４】
前記切断誘導線は、前記縦方向に複数並ぶ貫通孔によって構成される請求項１〜３のいずれかに記載の使い捨て着用物品。
【請求項５】
前記伸長部材は、非伸縮性の第１および第２シートと、第１および第２シートの間において伸長状態で収縮可能に取り付けられた弾性体とを含む請求項１〜４のいずれかに記載の使い捨て着用物品。
【請求項６】
前記接合部は、前記弾性体の伸縮力が発現されない領域に形成される請求項５記載の使い捨て着用物品。
【請求項７】
前記規制部材は、非伸縮性のシートによって形成される請求項１〜６のいずれかに記載の使い捨て着用物品。
【請求項８】
前記規制部材は、前記伸長部材の前記非肌対向面に配置される請求項１〜７のいずれかに記載の使い捨て着用物品。
【請求項９】
前記貫通孔は、前記縦方向に延びるスリットである請求項４に記載の使い捨て着用物品。
【請求項１０】
前記サイドパネルの前記縦方向における寸法は、前記第１ウエスト域の前記縦方向における寸法よりも大きくされる請求項１〜９のいずれかに記載の使い捨て着用物品。
【請求項１１】
前記クロッチ域には、レッグ弾性体が、前記縦方向に伸長状態で収縮可能に取り付けられ、前記レッグ弾性体は、前記第１ウエスト域側に位置する第１端縁と、前記第２ウエスト域側に位置する第２端縁とを有し、前記第２端縁は、前記第２ウエスト域に位置するとともに、前記サイドパネルの前記横方向内側に位置する請求項１〜１０のいずれかに記載の使い捨て着用物品。
【請求項１２】
前記第１連結要素は、前記第１ウエスト域の全域において形成される請求項１〜１１のいずれかに記載の使い捨て着用物品。
【請求項１３】
前記第１および第２ウエスト域の少なくともいずれか一方には、前記横方向に伸長状態で収縮可能なウエスト弾性体が取り付けられる請求項１〜１２のいずれかに記載の使い捨て着用物品。
【発明の詳細な説明】
【技術分野】
【０００１】
この発明は、使い捨て着用物品に関し、より詳しくは、前後ウエスト域をファスニングテープで連結して用いることができる使い捨ておむつ、使い捨てのトイレット・トレーニングパンツ、使い捨て失禁パンツ、使い捨ての生理用パンツ等の使い捨て着用物品に関する。
【背景技術】
【０００２】
従来、前後ウエスト域をファスニングテープで連結する着用物品は公知である。例えば、特許文献１には、使い捨ておむつが開示され、前後身頃を有するおむつ本体と、後身頃に取り付けられた止着テープとを含み、止着テープを前身頃の外面シートに連結することによって、環状のウエスト開口が形成されることが開示されている。後身頃に位置するサイドフラップには、切込み線が形成されるとともに、切込み線をサイドフラップの外面側から被覆するように伸縮帯が貼付されている。おむつの着用時には、伸縮帯が伸長されながら、切込み線が横方向に離間される。伸縮帯の伸縮によって、おむつ全体が横方向において伸縮可能とされるので、おむつのウエスト開口を着用者に密着させることができる。
【先行技術文献】
【特許文献】
【０００３】
【特許文献１】特開２０１０−３５７２６号公報（ＪＰ２０１０−３５７２６Ａ）
【発明の概要】
【発明が解決しようとする課題】
【０００４】
上記のような特許文献１において、切込み線は、おむつ本体の後身頃に位置するサイドフラップの一部を切断して形成されたものであるので、おむつの着用中において、切込み線からサイドフラップがさらに裂けてしまった場合には、おむつ本体が破断されるという問題が生じる。
【０００５】
この発明では、着用者の身体に密着可能であって、且つ、前後ウエスト域およびクロッチ域を形成するシャーシが破断されることがない使い捨て着用物品を提供することを課題とする。
【課題を解決するための手段】
【０００６】
この発明は、縦方向および横方向を有し、肌対向面およびその反対側である非肌対向面と、前後ウエスト域と、これら前後ウエスト域のいずれか一方である第１ウエスト域と、いずれか他方である第２ウエスト域と、前記第１および第２ウエスト域間に位置するクロッチ域とを含むシャーシと、前記第１および第２ウエスト域を互いに連結するファスニング手段とを有し、前記ファスニング手段は、前記第１ウエスト域の前記非肌対向面に位置する第１連結要素と、前記第１連結要素に連結可能な第２連結要素とを有し、前記第２連結要素は、前記第２ウエスト域から前記横方向に延びるサイドパネルに取り付けられた使い捨て着用物品の改良にかかわる。
この発明は、前記使い捨て着用物品において、前記サイドパネルは、前記横方向に伸長可能な伸長部材と、前記伸長部材に重なるとともに、前記伸長部材の伸長を規制可能な規制部材とを有し、前記伸長部材の非伸長時において、前記規制部材が前記横方向に離間する一対の接合部を介して前記伸長部材に接合され、前記規制部材の前記接合部の間には、前記縦方向に延びる切断誘導線が形成され、前記切断誘導線は、前記規制部材の前端縁および後端縁から前記縦方向内側にそれぞれ延び、前記伸長部材は、一対の前記接合部の間において、その一部を前記横方向へ弛ませた折り畳まれた状態で前記規制部材と接合されていることを特徴とする。
【発明の効果】
【０００７】
この発明の特にそのひとつ以上の実施態様によれば、使い捨て着用物品は、シャーシとシャーシの側縁から延出するサイドパネルとを含み、サイドパネルは伸長部材とこれに重なる規制部材とを有し、規制部材に切断誘導線を形成することとした。したがって、切断誘導線を切断することによって伸長部材が横方向に伸長可能となり、着用者の体型に合わせて切断誘導線に沿って規制部材を切断し使用することができ、着用物品を着用者に密着させることができる。また、切断誘導線によって規制部材が切断されたとしても、切断誘導線はサイドパネルに形成されているから、シャーシが破断されることがない。
【図面の簡単な説明】
【０００８】
【図１】使い捨て着用物品の一実施形態である使い捨ておむつの着用状態を示す斜視図。
【図２】展開したおむつの肌対向面から見た平面図。
【図３】おむつの分解斜視図。
【図４】図２のＩＶ−ＩＶ線端面図。
【図５】（ａ）サイドパネルを切断誘導線に沿って切断する前の図。          （ｂ）サイドパネルを切断誘導線に沿って切断した後の図。
【図６】（ａ）第２の実施形態のサイドパネルを切断誘導線に沿って切断する前の図。          （ｂ）第２実施形態のサイドパネルを切断誘導線に沿って切断した後の図。
【図７】切断誘導線の他のバリエーションを示す図。
【図８】切断誘導線の他のバリエーションを示す図。
【図９】切断誘導線の他のバリエーションを示す図。
【発明を実施するための形態】
【０００９】
＜第１の実施形態＞
図１は、この発明にかかる使い捨て着用物品の一例として示す、使い捨ておむつの前後ウエスト域を連結したときの斜視図、図２は展開したおむつの肌対向面から見た平面図、図３はおむつの分解斜視図、図４は図２のＩＶ−ＩＶ線端面図、図５（ａ）はサイドパネルの規制部材を切断誘導線に沿って切断する前の図、図５（ｂ）は規制部材を切断誘導線に沿って切断した後の図である。図１は、規制部材を切断誘導線に沿って切断して、前後ウエスト域を連結した図であり、図２〜４は、規制部材を切断する前の状態を示した図である。
【００１０】
図１に示したように、おむつ１は、縦方向Ｙおよび横方向Ｘを有し、前ウエスト域１１および後ウエスト域１２、これら前後ウエスト域１１，１２間に位置するクロッチ域１３と、横方向Ｘに延びる前後端縁１４，１５と、縦方向Ｙに延びる両側縁１６とを有する。おむつ１は、後ウエスト域１２に備えるファスニングシステムのフック要素７２を前ウエスト域１１に連結することによって、ウエスト開口を形成するとともに、おむつ１を着用者の身体に固定することができる。
【００１１】
図２に示したように、おむつ１は、横方向Ｘにおける寸法を二等分する仮想縦中心線Ｐ−Ｐを有し、仮想縦中心線Ｐ−Ｐにおいてほぼ対称にされている。対称にされた同様の構成要素については、図面においてその一部の符号を省略している。
【００１２】
図２〜４に示したように、おむつ１は、肌対向面に位置する透液性の表面シート２０と、その反対側である非肌対向面（着衣側）に位置する裏面シート３０と、これら表裏面シート２０，３０の間に位置する体液の吸収体４０と、吸収体４０および裏面シート３０の間に位置する難透液性または不透液性の防漏シート５０とを含む。表面シート２０の肌対向面には、横方向Ｘに離間し縦方向Ｙへ延びる一対の封じ込めシート６０が配置されている。表面シート２０と裏面シート３０は、実施形態にかかるおむつのシャーシ１０を形成している。
【００１３】
表面シート２０としては、例えば、質量約１５〜３５ｇ／ｍ２、好ましくは約１８〜２３ｇ／ｍ２の親水性スパンボンド繊維不織布またはポイントボンド繊維不織布を用いることができる。裏面シート３０としては、例えば、質量約１０〜３０ｇ／ｍ２のスパンボンド・メルトブローン・スパンボンド（以下ＳＭＳとする）繊維不織またはスパンボンド繊維不織布を用いることができる。
【００１４】
封じ込めシート６０としては、例えば、質量約１０〜３０ｇ／ｍ２のＳＭＳ繊維不織布を用いることができる。封じ込めシート６０の前後端縁６１，６２は、表面シート２０の前後端縁２１，２２と一致するように重ね合わせられ、図示しないホットメルト接着剤等の公知の接合手段によって互いに接合されている。封じ込めシート６０の近位縁部６３は、裏面シート３０の両側縁部３３に重なり、図示しないホットメルト接着剤等の公知の接合手段によって互いに接合されている。封じ込めシート６０の遠位縁部６４は、おむつ１が縦方向Ｙへ伸展された状態では、表面シート２０に重なっている。遠位縁部６４には、縦方向Ｙに延びる弾性体６５が伸長状態で収縮可能に取り付けられる。この弾性体６５の収縮によって、遠位縁部６４が表面シート２０から着用者の肌側へ離間してその肌に密着し、大便等の排泄物が封じ込めシート６０の内側に封じ込められる。
【００１５】
吸収体４０は、少なくともクロッチ域１３に位置していればその機能を奏するが、この実施形態では、クロッチ域１３から前後ウエスト域１１，１２へと延出して、比較的広範囲で尿等の排泄物を吸収することができるようにしてある。吸収体４０は、吸液性の芯材をティッシュペーパ等の液拡散性の被覆シートで覆うことによって形成されている。芯材として木材フラッフパルプ、高吸収性ポリマー粒子、またはこれらの混合物を用いることができる。芯材と被覆シートとは、図示しないホットメルト接着剤等の公知の接合手段を用いて互いに接合することができる。
【００１６】
吸収体４０と裏面シート３０との間に配置されている防漏シート５０は、難透液性、好ましくは、不透液性かつ通気性のプラスチックフィルムを用いることができる。防漏シート５０は吸収体４０よりもその面積が大きくされている。したがって、吸収体４０で吸収された尿等の排泄物がおむつ１の外側に漏れるのを防止することができる。防漏シート５０は、吸収体４０の被覆シートと裏面シート３０との間において、図示しないホットメルト接着剤等の公知の接合手段を用いて接合することができる。
【００１７】
防漏シート５０の裏面シート３０に対向する面とは反対側の面には、レッグ弾性体５１およびウエスト弾性体５２が取り付けられている。レッグ弾性体５１およびウエスト弾性体５２は、防漏シート５０と封じ込めシート６０との間において、少なくともいずれか一方に図示しないホットメルト接着剤等の公知の接合手段によって接合されている。レッグ弾性体５１は、クロッチ域１３において、両側縁１６に沿って縦方向Ｙに延びるとともに、縦方向Ｙに伸長状態で収縮可能に取り付けられている。レッグ弾性体５１は、前ウエスト域１１側に位置する第１端縁５１ａと、後ウエスト域１２側に位置する第２端縁５１ｂとを有し、第１端縁５１ａは、前ウエスト域１１にまで延在し、第２端縁５１ｂは、後ウエスト域１２にまで延在している。ウエスト弾性体５２は、後ウエスト域１２おいて後端縁１５に沿って横方向Ｘに延びるとともに、横方向Ｘに伸長状態で収縮可能に取り付けられている。レッグ弾性体５１およびウエスト弾性体５２としては、複数本のストリング状またはストランド状の弾性体を用いることができる。
【００１８】
シャーシ１０の後ウエスト域１２には、その両側縁１６に一対のサイドパネル７０が取り付けられている。サイドパネル７０は、横方向Ｘに伸長可能な伸長部材８０と、伸長部材８０に重なって取り付けられ伸長部材８０の伸長を規制する規制部材９０とを有する。伸長部材８０は、肌対向面に位置する第１シート８１と、非肌対向面に位置する第２シート８２と、これらシートの間に取り付けられた複数条のサイドパネル弾性体８３とを含む。
【００１９】
第１および第２シート８１，８２は、ほぼ同形同大であり、例えば、質量約１０〜３０ｇ／ｍ２のＳＭＳ繊維不織布を用いることができ、図示しないホットメルト接着剤等の公知の接合手段によって互いに接合されている。これら第１および第２シート８１，８２は、実質的に非伸長性の繊維不織布である。「実質的に非伸長性」とは、弾性的な伸縮性を有することなく、おむつ１の使用において、少なくとも横方向Ｘに通常の力で引っ張っても、おむつ１の着用時におけるウエスト開口の周り寸法の設定を左右するような寸法に変化を与えないものをいう。ちなみに、前記通常の力で不織布の繊維の交絡または溶着が僅かに解けて非弾性的に僅かに伸長することがあったとしても、これは実質的に非伸長性の範囲に入るものとする。前記寸法設定を左右しないからである。
【００２０】
サイドパネル弾性体８３は、横方向Ｘにおいて伸長状態で収縮可能に、かつ、縦方向Ｙに離間して取り付けられる。このようにサイドパネル弾性体８３を取り付けることによって、伸長部材８０は、弾性的に伸縮可能とされている。サイドパネル弾性体８３としては、例えば、４７０〜９４０ｄｔｅｘのストリング状またはストランド状の弾性体を用い、これら弾性体を横方向Ｘに、例えば、約２〜３倍伸長させ、縦方向Ｙにピッチ約５〜１５ｍｍで取り付けることができる。この実施形態では、約６２０ｄｔｅｘのサイドパネル弾性体８３を用い、縦方向Ｙにおけるピッチが約１０ｍｍで配置されるとともに、横方向Ｘに約２．６倍に伸長されて取り付けられている。
【００２１】
伸長部材８０の第２シート８２には、第１シート８１と対向する面とは反対の面に、規制部材９０が積層されている。規制部材９０は、実質的に非伸長性の繊維不織布によって構成されている。規制部材９０として、例えば、質量約４０〜６０ｇ／ｍ２のスパンボンド繊維不織布、ＳＭＳ繊維不織布等を用いることができる。図４に示したように、規制部材９０は、横方向Ｘに離間するとともに縦方向Ｙに延びる接合部９１，９２を介して第２シート８２に接合されている。接合部９１，９２は、サイドパネル弾性体８３が重ならない位置、すなわち、弾性体の伸縮力が発揮されない位置に形成される。なお、サイドパネル弾性体８３がその取り付け工程においてカットバック等されている場合には、伸縮力が発揮されない端部に重なるように形成することも可能である。サイドパネル弾性体８３の伸縮力が発揮される領域においては、第２シート８２には皺が形成されるが、皺に重なって接合部９１，９２が形成されると、第２シート８２と規制部材９０との接合力が低下する可能性がある。しかし、この実施形態では、サイドパネル弾性体８３の収縮力が発揮されない位置に接合部９１，９２が形成されるので、接合力の低下を未然に防止することができる。接合部９１，９２として、ホットメルト接着剤等の公知の接合手段を用いることができる。
【００２２】
なお、上記記載は、接合部９１，９２がサイドパネル弾性体８３の収縮力が発揮される位置に形成されることを妨げるものではなく、これらが重なる位置に形成されていてもよい。その場合には、第２シート８２と規制部材９０とが剥離しないように、接合部９１，９２の接合強度を大きくすることもできる。また、第２シート８２と規制部材９０とが直接接合される場合について説明しているが、これらシート間にさらに他のシートが介在される場合も含む。この場合には、接合部９１，９２は、他のシートを介して第２シート８２または規制部材９０に形成される。言い換えれば、伸長部材８０は、第１および第２シート８１，８２のほかに他のシートを含むものであってもよいし、規制部材９０は、非伸長性の繊維不織布のほかに他のシートを含むものであってもよい。
【００２３】
規制部材９０の内側縁部９０ｃは、裏面シート３０と封じ込めシート６０との間において図示しない接合手段によって固定され、シャーシ１０の両側縁１６からその横方向Ｘ外側に向かって延出している。規制部材９０の外側縁部９０ｄには、タブシート７１を介して、ファスニング手段であるフック要素７２が取り付けられている。
【００２４】
フック要素７２を前ウエスト域１１の裏面シート３０の繊維不織布に引っかけることによって、前後ウエスト域１１，１２が連結され、パンツ型のおむつ１として着用者に着用させることができる。この実施形態のフック要素７２が、この発明にかかる第２連結要素であり、前ウエスト域１１における裏面シート３０が、この発明にかかる第１連結要素である。第１連結要素として裏面シート３０を用いることによって、フック要素７２はシャーシ１０の非肌対向面のいずれにも止着させることができる。すなわち、前ウエスト域１１の全域を第１連結要素として用いることができる。フック要素７２を前ウエスト域１１の広い範囲で連結することができるので、着用者の体型や身体の状態に合わせて前後ウエスト域１１，１２を連結し、着用者に密着させることができる。また、第１連結要素として裏面シート３０を用いることによって、別部材を要しないので、その分製造コストを低減することができる。
【００２５】
図５は、サイドパネル７０を非肌対向面から見たときの図である。図５（ａ）に示したように、規制部材９０において、接合部９１，９２の間には、縦方向Ｙに延びる切断誘導線９３が形成されている。切断誘導線９３は、規制部材９０をその厚さ方向に貫通するとともに、縦方向Ｙに間欠的に配置された複数の貫通孔９４によって構成されている。貫通孔９４は、規制部材９０の前後端縁９０ａ，９０ｂからその縦方向Ｙの内側に向かってそれぞれ延び、この実施形態においては、一直線状に並んでいる。この実施形態において、貫通孔９４は、縦方向Ｙに延びるスリットである。このように複数の貫通孔９４を形成することによって、いわゆるミシン目を形成することができ、切断誘導線９３に沿って規制部材９０を切断することができる。
【００２６】
図５（ａ）に示した状態において、規制部材９０は、伸長部材８０の収縮時において、第２シート８２に重なるように接合されている。したがって、伸長部材８０を伸長させようとしても、切断誘導線９３に沿って規制部材９０が切断されていない状態においては、この規制部材９０によって伸長部材８０の伸長が規制される。
【００２７】
図５（ｂ）に示したように、切断誘導線９３に沿って規制部材９０が切断され、これが横方向Ｘに離間されると、その間には伸長部材８０が露出される。伸長部材８０は、接合部９１，９２を介して横方向Ｘに離間するように引っ張られるから、横方向Ｘに弾性的に伸長可能となる。
【００２８】
上記のようなおむつ１において、おむつ１をウエストの細い着用者に対して使用する場合には、規制部材９０を切断することなく、すなわち、図５（ａ）の状態のまま、フック要素７２を前ウエスト域１１に連結させて、着用者に着用させることができる。ウエストの太い着用者に対して使用する場合には、規制部材９０を切断して、すなわち、図５（ｂ）の状態にしてから、フック要素７２を前ウエスト域１１に連結させて、着用者に着用させることができる。このように着用者の体型に応じてサイドフラップ７０の態様を選択することができるので、さまざまな着用者に対しておむつ１を密着させることができる。しかも、規制部材９０を切断して使用した場合には、伸長部材８０の伸縮によって、おむつ１がより一層着用者に密着する。また、サイドフラップ７０は、シャーシ１０の両側縁に一対取り付けられているから、いずれか一方の規制部材９０のみを切断し、他方を切断しないで使用することもできる。
【００２９】
切断誘導線９３は、規制部材９０の前後端縁９０ａ，９０ｂ間に形成されているから、例えば、腹部のみが大きくせり出ているような体型の着用者に対しては、後端縁９０ｂ近傍の切断誘導線９３のみを切断し、伸長部材８０の後端縁近傍、すなわち、ウエスト開口近傍で伸縮性が発現されるようにすることによって、おむつ１を着用者の身体により一層密着させることができる。また、ウエストが細く臀部が大きいような体型の着用者に対しては、前端縁９０ａ近傍の切断誘導線９３のみを切断し、伸長部材８０の前端縁近傍、すなわち、レッグ開口近傍で伸縮性が発現されようにすることもできる。切断誘導線９３において、貫通孔９４が間欠的に形成されることによって、上記のように切断誘導線９３を途中まで切断することが可能となる。
【００３０】
切断誘導線９３は、縦方向Ｙにおいて途中まで切断して用いた場合であって、着用中に、着用者の動きによってさらに切断されたような場合であっても、切断誘導線９３には、伸長部材８０が重なって配置されているので、切断によっておむつ１の着用者に対する密着性が損なわれることがない。また、切断誘導線９３が不用意に切断されたような場合であっても、切断誘導線９３がサイドパネル７０に形成されているので、おむつ１の吸収性や肌触り等に影響を与えることがない。仮に、切断誘導線９３がシャーシ１０のいずれかに形成されていた場合には、不用意に切断されることによって、着用者に対する肌触りを悪くしたり、シャーシ１０に配置された吸収体４０の吸収性に影響を与え、尿等の体液の漏れを誘発したりする可能性がある。
規制部材９０は、伸長部材８０の非肌対向面に配置されているので、規制部材９０の切断面が着用者の肌に接触することがなく、接触による刺激を未然に防止することができる。
【００３１】
切断誘導線９３において、規制部材９０が切断されるときの強度は種々変更可能である。例えば、おむつ１の着用中に、着用者の動きに対応して切断誘導線９３に沿って規制部材９０が切断されるようにすることもできるし、切断誘導線９３を両手で挟持し、ある程度の力を入れて引っ張らないと切断できないようにすることもできる。この切断されるときの強度は、貫通孔９４の縦方向Ｙにおける寸法、または、貫通孔９４間の寸法によっても調整可能であるし、規制部材９０として用いる繊維不織布の種類によっても調整可能である。貫通孔９４の縦方向Ｙにおける寸法は約３〜２２ｍｍ、貫通孔９４と９４との間における非貫通部分の縦方向Ｙにおける寸法は約０．２〜２ｍｍとすることができる。この実施形態では、貫通孔９４の寸法は約９ｍｍ、非貫通部分の寸法は約１ｍｍとしている。複数の貫通孔９４の寸法は、全て等しくすることもできるし、例えば前端縁９０ａ側を大きく、後端縁９０ｂ側を小さくなるようにすることもできる。貫通孔９４間の寸法が同じであれば、貫通孔９４の寸法が大きいほど切断誘導線９３に沿って切断し易くなる。したがって、後端縁９０ｂ側で貫通孔９４の寸法を小さくした場合には、後端縁９０ｂ側では切断し難くすることができる。後端縁９０ｂでは、レッグ開口の一部を形成するから、後端縁９０ｂが切断されやすいと、着用者の脚の動きによって切断誘導線９３が不用意に切断される可能性があるが、後端縁９０ｂ側の貫通孔９４の寸法を小さくすることで、これを防止することができる。
【００３２】
規制部材９０として繊維不織布を用いる場合には、繊維が縦方向Ｙに配向するようにして用いることができる。縦方向Ｙに繊維を配向させ、貫通孔９４を縦方向Ｙに延びるように形成することによって、切断誘導線９３に沿って規制部材９０を切断し易くすることができる。
【００３３】
サイドパネル７０は、後ウエスト域１２において後端縁１５からクロッチ域１３まで連続して延び、前端縁７０ａから後端縁７０ｂまでの縦方向Ｙにおける寸法が約１８０〜３００ｍｍ、この実施形態では約２４０ｍｍとされている（図２参照）。また、後ウエスト域１２の縦方向Ｙにおける寸法が約２６０〜３２０ｍｍ、この実施形態では約２８１．８ｍｍであり、前ウエスト域１１の縦方向Ｙにおける寸法が約１７０〜２４０ｍｍ、この実施形態では約１９３．５ｍｍである。サイドパネル７０は、後ウエスト域１２においてその縦方向Ｙのほぼ全域に延びているから、前後端縁１４，１５によって形成されるウエスト開口のみならず、クロッチ域１３の側縁１６によって形成されるレッグ開口近傍においても、おむつ１を着用者に密着させることができる。さらに、サイドパネル７０は、前ウエスト域１１の縦方向Ｙにおける寸法よりも大きくされているから、前ウエスト域１１の縦方向Ｙの全域においてサイドパネル７０を連結することができ、前ウエスト域１１全体を着用者に密着させることができる。なお、サイドパネル７０は、後ウエスト域１２において、その後端縁１５側、または、クロッチ域１３側にのみ配置されていてもよいし、縦方向Ｙに離間された複数のサイドパネルが配置されていてもよい。
【００３４】
おむつ１のクロッチ域１３には、レッグ弾性体５１が取り付けられているが、その第２端縁５１ｂは、サイドパネル７０の横方向Ｘ内側に位置されている。すなわち、一対のサイドパネル７０の間で、レッグ弾性体５１の第２端縁５１ｂが挟まれ、一対のサイドパネル７０の前端縁７０ａを結ぶ横方向Ｘに延びる仮想延長線と、レッグ弾性体５１とが交差する。このような位置関係にすることによって、サイドパネル７０を横方向Ｘ外側に引っ張って前ウエスト域１１に連結させると、これに伴ってレッグ弾性体５１の第２端縁５１ｂも横方向Ｘ外側に引っ張られ、レッグ弾性体５１が取り付けられたシャーシ１０の両側縁１６が、着用者の脚回りに密着する。
【００３５】
シャーシ１０の後ウエスト域１２には、後端縁１５に沿って横方向Ｘに延びるウエスト弾性体５２が取り付けられている。したがって、規制部材９０が切断誘導線９３に沿って切断されず、弾性的な伸縮が発現されない場合であっても、ウエスト弾性体５２の弾性によって、おむつ１のウエスト開口を着用者に密着させることができる。ウエスト弾性体５２は、前後ウエスト域１１，１２の少なくともいずれか一方に取り付けられていればよい。また、切断誘導線９３は、複数の貫通孔９４によって構成されることとしているが、規制部材９０を切断可能にするものであれば、これに限られるものではない。例えば、加熱、加圧によって規制部材９０を溶融し、他の部分よりも切断し易くしたものや、厚さ寸法を他の部分よりも小さくしたものを切断誘導線９３とすることもできる。
【００３６】
この実施形態において、伸長部材８０は、非伸長性の第１および第２シート８１，８２の間にストランド状またはストリング状のサイドパネル弾性体８３を取り付けることによって、弾性的に伸縮可能としているが、これに限ったものではなく、例えば、伸縮性フィルムや伸縮性繊維不織布等を用いることによって弾性的に伸縮可能な繊維不織布等を用いることもできる。また、規制部材９０として、実質的に非伸縮性の繊維不織布を用いているが、伸長部材８０の伸長率よりも小さければ、非伸縮性に限ったものではない。すなわち、規制部材９０の伸長率が、伸長部材８０の伸長率よりも小さければ、規制部材９０が切断誘導線９３の切断前に伸長したとしても、伸長部材８０は伸長するものの、その伸長をある程度規制することができるからである。
接合部９１，９２は、ホットメルト接着剤によって形成しているが、ヒートシールやソニックシール等の熱溶着によって、規制部材９０を伸長部材８０に接合することもできる。
【００３７】
第１連結要素として、前ウエスト域１１における裏面シート３０を用いているが、別途、前ウエスト域１１にループ要素等を取り付けることもできる。第１連結要素としてループ要素等を裏面シート３０に取り付けた場合には、裏面シート３０として、通気性のプラスチックシート等を用いることもできる。第１連結要素として裏面シート３０を用いない場合には、シャーシ１０は裏面シート３０を有せず、漏れ防止シート５０に第１連結要素を形成することも可能である。また、第２連結要素としてフック要素を用いているが、前ウエスト域１１の非肌対向面との連結が可能であれば、粘着テープ等のこの種の分野において通常用いられているものを用いることができる。第２連結要素として粘着テープ等を用いた場合には、第１連結要素として、例えば、プラスチックシート等を用いることができる。また、この場合には、漏れ防止シート５０を粘着テープに対応する第１連結要素として用いることもできる。第１連結要素は、前ウエスト域１１においてその一部に対して取り付けることもできるし、前ウエスト域１１のほぼ全面に位置させるように取り付けることもできる。
【００３８】
伸長部材８０の第２シート８２において、規制部材９０と対向する面に、イラストや文字などによって表示要素を形成し、規制部材９０が切断誘導線９３に沿って切断されたときに、表示要素が視認できるようにすることもできる。すなわち、規制部材９０によって隠れていた第２シート８２の部分を、意匠的な表示部として利用することもできる。
この実施形態において、サイドパネル７０は、後ウエスト域１２に配置されているが、前ウエスト域１１に配置されるものであってもよい。
【００３９】
この実施形態においては、大人用のおむつ１を例に挙げて説明しているが、例えば、乳幼児用のおむつに適用することもできる。その場合には、おむつの各構成における寸法を適宜変更して着用者に適合させることができる。
【００４０】
＜第２の実施形態＞
図６は、第２の実施形態を示した図であり、第１の実施形態の図４と同様の図である。ただし、図６においては、サイドパネル７０を拡大し、吸収体４０を省略している。図６（ａ）は、切断誘導線９３の切断前、図６（ｂ）は切断誘導線９３の切断後を示している。この実施形態において、伸長部材８０は、実質的に非伸長性の繊維不織布を用いている。他の構成は第１の実施形態と同様であるので、その詳細な説明を省略する。
【００４１】
伸長部材８０は、接合部９１，９２の間において、その一部を横方向Ｘに弛ませて規制部材９０と接合されている。したがって、規制部材９０の切断誘導線９３を切断した際には、弛ませた分だけ伸長部材８０が横方向Ｘに伸長することができる。伸長部材８０を一枚のシートを用いて形成することができるので、他の構成を要する場合に比較して、部品点数を少なくすることができる。この第２の実施形態において、第１の実施形態に示したような弾性的に伸縮可能な伸長部材８０を用いることもできる。弾性的に伸縮可能な伸長部材８０をさらに横方向Ｘに弛ませて規制部材９０と接合することによって、伸長部材８０に接合される規制部材９０の横方向Ｘの寸法を小さくすることができ、その分、材料費の低減を図ることができる。
【００４２】
図７〜９は、切断誘導線９３の他のバリエーションをそれぞれ例示したものである。図７に示したバリエーションによれば、切断誘導線は、規制部材９０の前端縁９０ａから縦方向Ｙ内方に延びる第１切断誘導線９３ａと、後端縁９０ｂから縦方向Ｙ内方に延びる第２切断線９３ｂとを有する。第１および第２切断誘導線９３ａ，９３ｂは、互いに交差することなく、ほぼ平行に延びている。このようなサイドパネル７０において、第１および第２切断誘導線９３ａ，９３ｂのいずれか一方のみを切断して使用した場合であっても、それ以上縦方向Ｙ内側に破断されることがない。したがって、サイドパネル７０を縦方向Ｙにおいて一部切断し、他は切断したくない場合に適したおむつ１とすることができる。なお、このバリエーションにおいて第１切断線９３ａが横方向Ｘ内側に位置し、第２切断線９３ｂが横方向Ｘ外側に位置しているが、これに限ったものではない。
【００４３】
図８に示したバリエーションによれば、切断誘導線９３は、後端縁９０ｂから前端縁９０ａに向かって、図面右斜め下に向かって傾斜している。すなわち、仮想縦中心線Ｐ−Ｐに対して交差するように傾斜している。図示の例では、ウエスト開口に向かって、すなわち後端縁９０ｂに向かって横方向Ｘ寸法が大きくなるように傾斜しているので、ウエスト開口が大きく広がりやすく、例えば、臀部に比較してウエストサイズが大きい着用者に対して好適に用いることができる。また、切断誘導線９３を後端縁９０ｂから前端縁９０ａに向かって、図面左斜め下に向かって傾斜するようにすることもできる。このような場合には、ウエストに比較して臀部のサイズが大きい着用者に対して好適に用いることができる。切断誘導線９３の傾斜方向、傾斜角度は、適宜変更可能である。
【００４４】
図９に示したバリエーションによれば、切断誘導線９３を仮想縦中心線Ｐ−Ｐに対して交差するように交互に折れ曲がった波形またはジグザク状に形成することもできる。切断誘導線９３を一直線状にしないことによって、縦方向Ｙの途中まで切断することが容易となる。すなわち、切断誘導線９３に沿って規制部材９０を切断した際、これが一直線状であった場合には、所望の位置で切断を中断するのは困難であり、必要以上に破断したり、着用中に破断が進んだりする可能性がある。しかし、切断誘導線９３を波形またはジグザク状にすることによって、必要以上に破断が進むのを防止することができる。
【００４５】
以上に記載したこの発明に関する開示は、少なくとも下記事項に要約することができる。
この発明は、以下の使い捨て着用物品１の改良にかかわる。使い捨て着用物品１は、縦方向Ｙおよび横方向Ｘを有し、肌対向面およびその反対側である非肌対向面と、前後ウエスト域１１，１２と、これら前後ウエスト域１１，１２のいずれか一方である第１ウエスト域と、いずれか他方である第２ウエスト域と、前記第１および第２ウエスト域間に位置するクロッチ域１３とを含むシャーシ１０と、前記第１および第２ウエスト域を互いに連結するファスニング手段とを有する。
前記ファスニング手段は、前記第１ウエスト域の前記非肌対向面に位置する第１連結要素と、前記第１連結要素に連結可能な第２連結要素７２とを有し、前記第２連結要素７２は、前記第２ウエスト域から前記横方向Ｘに延びるサイドパネル７０に取り付けられている。
【００４６】
この発明は、上記使い捨て着用物品１において、以下の点を特徴とする。
前記サイドパネル７０は、前記横方向Ｘに伸長可能な伸長部材８０と、前記伸長部材８０に重なるとともに、前記伸長部材８０の伸長を規制可能な規制部材９０とを有する。
前記伸長部材８０の非伸長時において、前記規制部材９０が前記横方向Ｘに離間する一対の接合部９１，９２を介して前記伸長部材８０に接合され、前記規制部材９０の前記接合部９１，９２の間には、前記縦方向Ｙに複数並ぶ貫通孔９４によって構成される切断誘導線９３が形成され、前記切断誘導線９３は、前記規制部材９０の前端縁９０ａおよび後端縁９０ｂから前記縦方向Ｙ内側にそれぞれ延びる。
【００４７】
上記の発明は、少なくとも下記の実施の形態を含むことができる。
（１）前記伸長部材８０は、前記横方向Ｘに弾性的に伸縮可能とされ、前記規制部材９０の伸長率は、前記伸長部材のそれよりも小さくされる。
（２）前記切断誘導線９３は、前記規制部材９０の前記前後端縁９０ａ，９０ｂの間において一直線状に形成される。
（３）前記切断誘導線９３は、前記縦方向Ｙに複数並ぶ貫通孔９４によって構成される。
（４）前記伸長部材８０は、非伸縮性の第１および第２シート８１，８２と、第１および第２シート８１，８２の間において伸長状態で収縮可能に取り付けられた弾性体８３とを含む。
（５）前記接合部９１，９２は、前記弾性体８３の伸縮力が発現されない領域に形成される。
（６）前記規制部材９０は、非伸縮性のシートによって形成される。
（７）前記規制部材９０は、前記伸長部材８０の前記非肌対向面に配置される。
（８）前記貫通孔９４は、前記縦方向Ｙに延びるスリットである。
（９）前記サイドパネル７０の前記縦方向Ｙにおける寸法は、前記１ウエスト域１１の前記縦方向Ｙにおける寸法よりも大きくされる。
（１０）前記クロッチ域１３には、レッグ弾性体５１が、前記縦方向Ｙに伸長状態で収縮可能に取り付けられ、前記レッグ弾性体５１は、前記第１ウエスト域側に位置する第１端縁５１ａと、前記第２ウエスト域側に位置する第２端縁５１ｂとを有し、前記第２端縁５１ｂは、前記第２ウエスト域に位置するとともに、前記サイドパネル７０の前記横方向Ｘ内側に位置する。
（１１）前記第１連結要素は、前記第１ウエスト域１１の全域において形成される。
（１２）前記第１および第２ウエスト域１１，１２の少なくともいずれか一方には、前記横方向Ｘに伸長状態で収縮可能なウエスト弾性体５２が取り付けられる。
【００４８】
使い捨て着用物品の一例である使い捨ておむつ１を構成する各構成部材には、この明細書に記載されている材料のほかに、この種の分野において通常用いられている、各種の公知の材料を制限なく用いることができる。また、この発明の明細書において、用語「第１」および「第２」は、同様の要素、位置等を単に区別するために用いられている。
【符号の説明】
【００４９】
１    使い捨て着用物品（おむつ）
１０    シャーシ
１１    前ウエスト域
１２    後ウエスト域
１３    クロッチ域
１６    両側縁
５１    レッグ弾性体
５１ａ  第１端縁
５１ｂ  第２端縁
５２    ウエスト弾性体
７０    サイドパネル
７２    フック要素（第２連結要素）
８０    伸長部材
８１    第１シート
８２    第２シート
８３    サイドパネル弾性体
９０    規制部材
９０ａ  前端縁
９０ｂ  後端縁
９１    接合部
９２    接合部
９３    切断誘導線
９４    貫通孔
Ｘ    横方向
Ｙ    縦方向
Ｐ−Ｐ  仮想縦中心線
【図１】
0005906045.tif 000002
【図２】
0005906045.tif 000003
【図３】
0005906045.tif 000004
【図４】
0005906045.tif 000005
【図５】
0005906045.tif 000006
【図６】
0005906045.tif 000007
【図７】
0005906045.tif 000008
【図８】
0005906045.tif 000009
【図９】
0005906045.tif 000010